(57)【特許請求の範囲】
【請求項１】
座部と支持部からなる携帯用正座椅子であって、前記座部は板材を布製袋内に挿入して構成され、前記支持部は布製環状帯に左右の脚板を保持して構成され、前記左右の脚板を固定した間の部分は布のみからなる連結部とされ、この連結部の一部に前記座部の一部を止着している携帯用正座椅子において、
前記連結部と前記座部とは第１及び第２の止着点で取り付けられ、取り付けられた状態で座部と支持部の横方向の中心線は一致し、また前記第１の止着点は支持部に固定された一方の脚板の外端から脚板を2枚重ねた際の厚み分以上離れた箇所とされ、前記第２の止着点は第１の止着点から連結部の全体長さから前記第１の止着点までの長さを引いた長さの１／２以下となる箇所としたことを特徴とする携帯用正座椅子。
【請求項２】
請求項１に記載の携帯用正座椅子において、前記左右の脚板は布製環状帯に設けた袋に挿入することで保持されていることを特徴とする携帯用正座椅子。
【発明の詳細な説明】
【技術分野】
【０００１】
本発明は、茶道などで長時間の正座をする際に使う携帯用正座椅子に関する。
【背景技術】
【０００２】
近年、畳を中心とした伝統的な日本家屋よりも西洋家屋が増え、畳に座る機会が減ってきているが、茶会は相変わらず人気が高い。一方、茶会では正座をしなくてはならないが、畳生活に慣れていない人にとって正座は苦痛である。そこで、正座をする時に、体重の負担が膝や足にかからないように工夫した携帯用正座椅子が考えられている。
【０００３】
例えば、図７に示すような、着座時の荷重を両サイドの脚板のみで支持する正座椅子が販売されている。この正座椅子場合、帯の一端に面ファスナー（マジックテープ）（登録商標）を取り付け、他端に前記面ファスナーに結合する面ファスナーを配置している。しかしながら、組み立てや折りたたむ際にファスナーをはがす音が作法を乱し、また臀部を載せる箇所がやわらかい布のみなので、安定性に欠け長時間座ることができない。
【０００４】
文献としては特許文献１に、人体や床などを傷つけることなく座布団上でも使用可能な携帯用正座椅子として、発泡ポリエチレン等の緩衝材で形成された所定の高さと、幅と、奥行きおよび足先を入れる中空部位を持つ携帯用正座いすが知られている。
【０００５】
また特許文献２には、座部と脚部を備えた立方体の一体構造体である正座椅子において、座部上面が略正方形状の平面で、脚部底面が略台形状の平面であり、後側面の座部より底面に向かい円弧断面状を有するくぼみを形成し、円弧断面状の一部が足の裏の一部に当接可能となるようにした携帯可能な正座椅子も知られている。
【０００６】
また特許文献３には、長方形状の板材で、その長手方向の両端側の裏面から突出する段部を形成した座板と、２枚が互いに対向端部で回動自在に連結した一対の脚板と、該脚板の連結側に一端を固着させた可撓性で帯状の保持用帯体とから成り、保持用帯体には、少なくとも、その両端側を貼り合せ可能に設けた組立用面ファスナーと、中間の表面側に設けた片面の収納用面ファスナーと、他端側の表面側に設けた底部用クッション材とを具備する携帯用正座椅子も知られている。
【０００７】
更に特許文献４には、２つの座部材が互いの対向端縁部で回動自在に連結された座部と、２つの脚部材が各対応する座部材の下面側中途部に一端側において座部材の回動軸線と平行な軸線を中心として回動自在に連結され、かつ２つの脚部材の他端側が接地部に形成されると共に回動自在に連結された脚部とを具備し、座部材が正面形状において一直線状に開かれた際、正面の全体形状が、座部材の両端側が外方に突出したほぼ三角形状をなし、収納時に座部が中折れ状に２つの脚部材間に折り畳まれて収納可能に形成されている携帯用正座椅子が知られている。
【先行技術文献】
【特許文献】
【０００８】
【特許文献１】実用新案登録第３１１４６３９号公報
【特許文献２】特開２００８−２８４２５９号公報
【特許文献３】実用新案登録第３１５２８２７号公報
【特許文献４】実用新案登録第３００１４９７号公報
【発明の概要】
【発明が解決しようとする課題】
【０００９】
茶会においては、作法の流れを乱さないことが重要であり、また正座椅子を使う場合においても、作法の動作の中に自然に組み込まれ、なるべく目立たないものでなくてはならない。更に、茶会では作法に則った動作を行う必要があり、この動きを制約するものであってはならない。
【００１０】
上記の観点から、特許文献１と特許文献２の携帯用正座椅子は、重量こそ軽いが、構造的に折り畳み形状ではないので持ち運びにかさばり、目立ってしまう。また、特許文献３の携帯用正座椅子においては、底部用クッション材を取り付ける組立用面ファスナーの着脱時に「バリバリ」と音が出るので茶会で使うことは難しい。
更に、特許文献４の正座用いすは、収納時に座部が中折れ状に２つの脚部材間に折り畳まれるが、座部材を支軸する軸ピンのストッパ片による座部材の組立が面倒で、茶会には使用し難い。
【００１１】
本発明の携帯用正座椅子は従来例の上記欠点を解消しようとするもので、法事やけいこ事の席、茶席等のように長時間の正座をする場において、足がしびれるのを確実に防止することができ、且つ座ったままで体を動かしやすい携帯用正座椅子を提供するものである。
【課題を解決するための手段】
【００１２】
上記の課題を解決する手段として、本発明の携帯用正座椅子は、座部と支持部からなる構成され、前記座部は板材を布製袋内に挿入してなり、前記支持部は布製環状帯に左右の脚板を保持してなり、前記左右の脚板を固定した間の部分は布のみからなる連結部とされ、この連結部の一部に前記座部の一部を止着した構成である。
【００１３】
前記脚板の保持手段としては、接着剤や両面テープで布製環状帯の内側面に貼着するか、或いは布製環状帯の内側面に袋を設け、この袋内に挿入するなどの手段が考えられる。
【００１４】
前記連結部と前記座部とは第１及び第２の止着点の２か所（全体では４箇所）とし、取り付けられた状態で座部と支持部の横方向の中心線は一致させる。尚、第１の止着点と第２の止着点の間の部分については、縫着してもよい。
【００１５】
また、前記第１の止着点は支持部に固定された一方の脚板の外端から脚板を２枚重ねた際の厚み分以上離れた箇所とし、前記第２の止着点は第１の止着点から連結部の全体長さから前記第１の止着点までの長さを引いた長さの１／２以下となる箇所とすることで、スムーズに折り畳むことができる。
【００１６】
また、連結部と平行に前記脚板の開脚度を制限する紐等の開脚度制限手段を設けてもよい。
【発明の効果】
【００１７】
本発明の携帯用正座椅子によれば、茶会、法事、稽古事など長時間の正座を必要とする場において、足の痺れを防止するだけでなく、騒音を発することなく自然な一連の動作の一部として、携帯用正座椅子を組み立てたり折り畳んだりすることができる。
また、本発明の携帯用正座椅子は使用状態で前後方向から見て逆三角形をなすため、座った状態で体を傾けたり捻ることが容易に行うことができ、作法に則った動きを可能にする。
【図面の簡単な説明】
【００１８】
【図１】本発明品を使って正座した人を後方から見た図
【図２】座板と布製環状帯の縫合位置を示した図
【図３】（ａ）〜（ｃ）は支持部の組み立て手順の一例を説明した図
【図４】座板と布製環状帯を止着点で縫着した完成図
【図５】折り畳み時の様子を示す図
【図６】本発明品の携帯用正座椅子を折り畳んだ状態を示す図
【図７】着座時の荷重を両サイドの脚板のみで支持する従来例を示す図
【発明を実施するための形態】
【００１９】
本発明に係る携帯用正座椅子１は、図１の状態で使用し、折り畳む場合は図４の状態から図５の状態を経て図６の状態まで折り畳み、使用する場合はこの逆の手順となる。
【００２０】
本発明に係る携帯用正座椅子１は、人の臀部を受ける座部２とこの座部２を下から支える支持部３からなる。座部２は布製袋２ａ内に座板２ｂを挿入してなり、支持部３は環状をなす布製環状帯４の内側に第１及び第２の布製の袋５、６の一端を近接させて形成し、第１の袋５に第１の脚板７を挿入し、第２の袋６に第２の脚板８を挿入している。
【００２１】
前記第１及び第２の脚板７、８の一端（下端）は近接し、他端（上端）は離間している。この離間した部分は布のみからなる連結部９となっている。また第１及び第２の脚板７、８の近接した端部は布製環状帯４が２枚重ねとなった補強部１０の内側に位置している。
更に、前記連結部９に沿って紐１１を掛け渡している。この紐１１の両端は前記袋５、６の先端近傍の布製環状帯４に縫着され、図４に示す座椅子を開いた状態で支持部２に大きな開方向の力が作用するのを防止している。
【００２２】
前記支持部３を作製する手順は、先ず図３（ａ）に示すように布製帯４の両端をオーバーラップさせ、次いで（ｂ）に示すように、オーバーラップさせた部分を縫着して補強部１０とし、この後（ｃ）に示すように、布製環状帯４の内側に脚板７、８を配置し、接着剤などにて脚板７、８を布製環状帯４に固定する。
【００２３】
実施例では布製環状帯４に固定した脚板７、８の外側に布製の袋５、６を設け、これら袋５、６内に脚板７、８が挿入された状態としたが、布製環状帯４に対して脚板７、８が強固に接着させる場合には、袋５、６は不要である。
【００２４】
前記連結部９の一部に前記座部の布製袋２ａの一部が止着されている。止着下状態で、座部２と支持部３の横方向の中心線Ｏは一致している。このため、支持部３の両端からは座部２が同じ長さだけはみ出る。
【００２５】
前記止着位置は、支持部３に保持された一方の脚板７（袋５）の外端から脚板７、８を挿入した２つの袋５、６を重ねた際の厚み分（Ｌ１）だけ離れた点を第１の止着点（縫着点）Ｐ１とし、連結部９の全体長さ（Ｌ３）から前記２つの袋を重ねた際の厚み分（Ｌ１）を引いた長さの１／２となる長さ（Ｌ２）に第２の止着点Ｐ２を設けた。これら止着点Ｐ１、Ｐ２は幅方向に対称な位置で縫い付けられている。
尚、第１の止着点（縫着点）Ｐ１は長さ（Ｌ１）以上であればよく、第２の止着点Ｐ２は長さ（Ｌ２）の１／２以下であれば、折り畳むことができる。
【００２６】
以上において、図４に示す開状態から携帯用正座椅子１を折り畳むには、例えば右手で座部２を持ち、左手で支持部２の第２の脚板８を持ちながら、図５に示すように、座部２と第２の脚板８との間隔を広げるように、第１の脚板７と第２の脚板８とを接近させる。
次いで、図６に示すように、第１の脚板７と第２の脚板８とを重ね、更に第２の脚板８の上に座部２を重ねる。
【００２７】
上記において、止着点Ｐ１と第１の脚板７の上端との間隔（Ｌ１）は袋に入った状態での第１の脚板７と第２の脚板８とを重ねた厚さに等しく、止着点Ｐ２の位置は連結部９の全長（Ｌ３）から間隔（Ｌ１）を引いた長さの半分（Ｌ２）としているので、座部２、第１の脚板７及び第２の脚板８が過不足なく重ねられ最小の容積になる。
【００２８】
図示例は本発明に係る携帯用正座椅子の一例を示している。例えば実施例では座部２の寸法は、幅１２ｃｍ、高さ２３ｃｍ、厚さ１ｃｍとし、脚板５、６幅を入れた全体の幅は３ｃｍとし、Ａ５版に近い形状としているので、ハンドバックなどに入れて持ち運ぶのに便利であるが、寸法はこれに限るものではない。
例えば、女性用として使用状態で正三角形とした場合の脚板の長さを８ｃｍ、１０ｃｍを用意し、男性用として１２ｃｍ、１４ｃｍ、１６ｃｍの寸法のものを用意する。
【００２９】
また、使用状態での第１の脚板７と第２の脚板８の開き角度は、実施例では６０°（正三角形）としているが、好ましくは底部の角度は６０〜３０°である。
【産業上の利用可能性】
【００３０】
本発明による携帯用正座椅子は茶道のみならず、長時間の正座をすることが必要な場合に利用することができる。
【符号の説明】
【００３１】
１    携帯用正座椅子
２    座部
２ａ  布製袋
２ｂ  座板
３    支持部
４    布製環状帯
５    第１の袋
６    第２の袋
７    第１の脚板
８    第２の脚板
９    連結部
１０    補強部
１１    紐
Ｐ１    第１の止着点
Ｐ２    第２の止着点
【要約】 
【課題】  長時間の正座に適した携帯用正座椅子を提供する。
【解決手段】  支持部３に保持された一方の脚板７（袋５）の外端から脚板７、８を挿入した２つの袋５、６を重ねた際の厚み分（Ｌ１）だけ離れた点を第１の止着点（縫着点）Ｐ１とし、連結部９の全体長さ（Ｌ３）から前記２つの袋を重ねた際の厚み分（Ｌ１）を引いた長さの１／２となる長さ（Ｌ２）に第２の止着点Ｐ２を設けた。これら止着点Ｐ１、Ｐ２は幅方向に対称な位置で縫い付けられている。
【選択図】  図４【図１】
0004808286.tif 000002
【図２】
0004808286.tif 000003
【図３】
0004808286.tif 000004
【図４】
0004808286.tif 000005
【図５】
0004808286.tif 000006
【図６】
0004808286.tif 000007
【図７】
0004808286.tif 000008